(57)【要約】【課題】台座とポール、及びポールとヘッドの分離、組み立てを直流電力供給兼用ＤＣプラグとＤＣジャックによって簡易化するとともに、台座、ポール、ヘッドを別々に３６０度回転させることで、机上の照射選定範囲の拡大を可能とし、かつ発光ダイオードの不点灯故障が発生した時のヘッド取替えが迅速に行え、さらに、運搬する際の梱包や保管する際のスペースをコンパクトにできるデスクライト装置を提供する。【解決手段】プラグ付きＡＣアダプタ、台座、台座に取付けたＡＣアダプタ用ＤＣジャック、ポール、ポール先端に取付けた直流電力供給兼用ＤＣプラグ、スイッチ、給電線、発光ダイオードを搭載した配線基板、ヘッド、ポールの先端に取付けた直流電力供給兼用ＤＣプラグから成るデスクライト装置において、ポールの他の先端に直流電力供給兼用ＤＣプラグ、台座にポールと同じ直径の穴、台座内部に直流電力供給兼用ＤＣジャック、直流電力供給兼用ＤＣジャックを取付ける台を設ける。【選択図】図１
0003139225.tif 000002
【実用新案登録請求の範囲】
【請求項１】
台座、スイッチ、ポール、給電線、発光ダイオードを実装した配線基板を具備するヘッド、該台座に取付けた第１のＤＣジャック、該第１のＤＣジャックに嵌合する第１のＤＣプラグ付きＡＣアダプタ、該ヘッドに取付けた第２のＤＣジャック、該第２のＤＣジャックに嵌合する該ポールの先端に取付けた第２のＤＣプラグから成るデスクライト装置において、該台座に該ポールが貫通する穴、該台座の内部に第３のＤＣジャック、該第３のＤＣジャックの取付け台、該第３のＤＣジャックに嵌合する第３のＤＣプラグを該ポールの他の先端に設けたことを特徴とするデスクライト装置
【請求項２】
前記第１のＤＣプラグは前記第２のＤＣジャック、前記第３のＤＣジャックに嵌合し、前記第２のＤＣプラグは前記第１のＤＣジャック、前記第３のＤＣジャックに嵌合し、前記第３のＤＣプラグは前記第１のＤＣジャック、前記第２のＤＣジャックに嵌合することを特徴とする請求項１記載のデスクライト装置
【請求項３】
前記第１のＤＣプラグ、前記第１のＤＣジャック、前記第２のＤＣプラグ、前記第２のＤＣジャック、前記第３のＤＣプラグ、前記第３のＤＣジャックを介して前記発光ダイオードを実装した配線基板に直流電力を供給することを特徴とする請求項１記載のデスクライト装置
【考案の詳細な説明】
【技術分野】
【０００１】  構成要素である電源、台座、ポール、発光ダイオードを実装した配線基板を具備するヘッドを簡易に組み立て、分離ができるデスクライト装置に関する。
【背景技術】
【０００２】  地球温暖化防止の観点から電力消費の少ない発光ダイオードを用いたデスクライト装置が使用されるようになってきた。現状の発光ダイオードを用いたデスクライト装置は基本的には、電源、台座、ポール、発光ダイオードを搭載した配線基板を具備するヘッドで構成されている。ポールにはヘッドの位置を変化させるために、変形可能なフレキシブルパイプが用いられることが多い。フレキシブルパイプの一端はヘッドに、他端は台座に固定されており、フレキシブルパイプを前後左右に曲げることによりヘッド位置を移動し、机上面の照射位置を選定できるようになっている。
【考案の開示】
【考案が解決しようとする課題】
【０００３】  図２に従来のデスクライト装置の一実施例を示す。１０１は従来のデスクライト装置、１はＡＣアダプタ、２はＡＣアダプタ１のＤＣプラグ、３は台座、４は台座３に取付けられたＤＣジャック、５はスイッチ、７はポール、８はポール７の先端に取り付けられたＤＣプラグ、１０はヘッド、１１はヘッド１０に取り付けられたＤＣジャック、１２は配線基板、１３は発光ダイオード、１５は台座内部とポール内部に配線された給電線、１７は固定金具である。【０００４】  ポール７の一方の端に取付けられたＤＣプラグ８は発光ダイオード１３を実装した配線基板１２を具備するヘッド１０に取付けられたＤＣジャック１１に挿入され、他方の端は台座３に固定金具１７で固定されている。ＡＣアダプタ１のＤＣプラグ２をＤＣジャック４に差し込み、給電線１５で発光ダイオード１３が実装されている配線基板１２に直流電力を供給する。台座３はデスクライト装置１０１のポール９が転倒しないようにするためのものである。【０００５】  図２に示すデスクライト装置１０１ではスイッチ５をオンすることでＡＣアダプタ１からの直流電力を配線基板１２に供給し、発光ダイオード１３を点灯させる。ポール７にフレキシブルパイプを用いれば机上面の照射位置はフレキシブルパイプを前後左右に変形させることで選定できるが、フレキシブルパイプの曲げ角度に限界があること、及びデスクライト装置１０１が転倒しないようにするための条件から、フレキシブルパイプを変形できる範囲には自ずと限界があり、したがって、照射すべき位置の選定範囲を広げることは困難である。【０００６】  ヘッド１０はポール７にＤＣプラグ８とＤＣジャック１１で接続されているので、ＤＣプラグ８とＤＣジャック１１の接続部が円形であれば３６０度回転させることができるが、一方向の回転なので照射すべき位置の選定範囲を広げることには限界がある。【０００７】  また、ポール７とヘッド１０はＤＣプラグ８とＤＣジャック１１で接続されているので、ポール７とヘッド１０の分離は容易であるが、ポール７の他方の先端は台座３に固定金具１７で固定されている上に、給電線１５がポール７の中に配線されているので、台座３とポール７を分離することは困難であり、運搬や保管する際には広いスペースを必要とする。【０００８】  本考案は上述した問題点を解決するために、照射すべき位置の選定範囲の拡大、保管や運搬の際に台座、ポール、ヘッドを分離してコンパクトに収容でき、かつ組立てが容易な発光ダイオードを用いたデスクライト装置を提供することにある。
【課題を解決するための手段】
【０００９】  台座、スイッチ、ポール、給電線、発光ダイオードを実装した配線基板を具備するヘッド、発光ダイオードに直流電力を供給する台座とヘッドのそれぞれに取付けたＡＣアダプタ用ＤＣジャック、ポールの先端に取り付けたＤＣプラグから成るデスクライト装置において、ポールの他の先端にＤＣプラグを設けるとともに、台座にポールと同じ直径の穴と台座の内部にＤＣジャックとこのＤＣジャックを取付ける台を設ける。
【考案の効果】
【００１０】  本考案によるデスクライト装置はポールと台座、ポールとヘッドがそれぞれＤＣジャックとＤＣプラグで接続されているだけなので、台座、ポール、ヘッドはそれぞれ別々に３６０度回転させることができ、デスクライト装置の設置場所の自由度、及び照射すべき位置の選定範囲を拡大することができる。【００１１】  また、ヘッドをポールに着脱することが極めて容易であり、発光ダイオードが不良になった場合でも、良品の発光ダイオードを搭載したヘッドと取替えるだけでデスクライト装置の修理を簡易に行うことができる。【００１２】  さらに、台座にポールを着脱することも極めて容易なので、ヘッド、ポール、台座を分離してコンパクトに梱包できることから運搬や保管する際の省スペース化が可能であり、組み立ても容易なので利便性が向上する。
【考案を実施するための最良の形態】
【００１３】  図１は本考案に関わる発光ダイオードを用いたデスクライトの実施例である。１００は本考案のデスクライト装置、１はＡＣアダプタ、２はＡＣアダプタ１のＤＣプラグ、３は台座、４は台座３に取付けられたＤＣジャック、５はスイッチ、６は台座内部に取り付けられたＤＣジャック、７はポール、８はポール７の先端に取り付けられたＤＣプラグ、９はポール７の他の先端に取付けられたＤＣプラグ、１０はヘッド、１１はヘッド１０に取付けられたＤＣジャック、１２は配線基板、１３は発光ダイオード、１４は台座に設けられた穴、１５は台座内部、及びポール内部に配線された直流電力を供給する給電線、１６は台座３の内部に固定されたＤＣジャック６の取付け台である。【００１４】  図１において台座３はデスクライト装置１００が転倒しないようにするためのものである。ポール７にフレキシブルパイプを適用することにより、ヘッド１０の位置を調整することができようになっている。ポール７とヘッド１０の接続はポール７の先端に取付けられたプラグ８をヘッド１０に取付けられたＤＣジャック１１に差し込み、ポール７と台座３の接続は穴１４の中にポール７を通し、ポール７の他の先端に取り付けられているＤＣプラグ９を台座３の内部の取付け台１６に固定されたＤＣジャック６に差し込むことで行う。穴１４はポール７を前後左右に調整する際にＤＣプラグ９とＤＣジャック６に過大な応力がかかるのを防止するために台座３に設けられている。【００１５】  ポール７にヘッド１０を取付けた状態でＡＣアダプタ１のプラグ２を台座３に取付けられたＤＣジャック４に、ＤＣプラグ９をＤＣジャック６に、ＤＣプラグ８をＤＣジャック１１にそれぞれ差し込みスイッチ５をオンさせると、給電線１５を経由してヘッド１０に搭載されている配線基板１２にハンダ付けされた発光ダイオード１３に給電線１５を経由して直流電力が供給され発光ダイオード１３が点灯する。この状態で仮にＤＣプラグ８をＤＣジャック１１から引き抜いてプラグ８の導電部が露出しても、ＡＣアダプタ１からの供給電圧を１２Ｖ程度の低電圧にしておけば感電する危険は全くない。【００１６】  ＤＣプラグ８とＤＣジャック１１は接触しているだけなので、ＤＣプラグ８とＤＣジャック１１の嵌合部が円形であればヘッド１０を３６０度回転させることかできる。フレキシブルパイプのみでヘッド１０の位置調整を行うよりも、フレキシブルパイプとプラグ８、ジャック１１の併用によって、ヘッド１０の位置調整が柔軟になり、机上の照射選定範囲の拡大を容易に行うことができる。【００１７】  また、ＤＣプラグ９とＤＣジャック６も接触しているだけなので、ＤＣプラグ９とＤＣジャック６の嵌合部が円形であればポール７を３６０度回転させることかできる。フレキシブルパイプとＤＣプラグ８とＤＣジャック１１の回転でヘッド１０の位置調整を行うよりも、プラグ９、ジャック６の併用によってヘッド１０の位置調整がより柔軟になり、机上の照射選定範囲の拡大を一層容易に行うことができる。【００１８】  ＤＣジャック４、ＤＣジャック６、ＤＣジャック１１の嵌合部寸法を同一にし、またＤＣプラグ２、ＤＣプラグ８、ＤＣプラグ９の嵌合部寸法をＤＣジャック４、ＤＣジャック６、ＤＣジャック１１の嵌合部寸法と同一にすれば、ＤＣプラグ８とＤＣジャック６を接続でき、またＤＣプラグ９とＤＣジャック１１も接続することができる。したがって、ポール７の接続間違いを回避でき利便性が向上する。【００１９】  また、ＤＣプラグ２をＤＣジャック１１に直接接続することも可能で、台座３やポール７内の給電線１５、ＤＣジャック４、ＤＣジャック６、ＤＣプラグ９、ＤＣプラグ８を経由せずに発光ダイオード１３を点灯できるのでさらに利便性が向上する。【００２０】  ポール７を前後左右に動かしヘッド１０の位置を調整する際に、ＤＣプラグ９とＤＣジャック６の接続部に過大な応力がかかることになり、ＤＣプラグ９、又はＤＣジャック６が破損、あるいはプラグ９、ジャック６の接続不良を起こす恐れがあるが、ポール７を台座３に設けた穴１４に通すことでＤＣプラグ９とＤＣジャック６の接続部に過大な応力がかかることを防止し、ＤＣプラグ９、又はＤＣジャック６の破損、あるいは接続不良を回避できる。【００２１】  本考案による発光ダイオードを用いたデスクライト装置は台座、ポール、ヘッドが電源供給を兼ねたＤＣプラグとＤＣジャックによって接続されているだけなので、ポールとヘッド、及びポールと台座の取付け、取外しが容易で、発光ダイオードの不点灯故障が発生したときの修理が迅速に行える。【００２２】  また、ポールとヘッド、及びポールと台座を別々に３６０度回転させることができ、デスクライト装置の設置場所の自由度拡大、及び机上の照射範囲調整機能の向上が可能になる。【００２３】  さらに、台座、ポール、ヘッドを容易に分離できるので、運搬する際の梱包形状や保管する際のスペースがコンパクトになるばかりでなく、組み立ても容易なので利便性も向上する。
【図面の簡単な説明】
【００２４】
【図１】本考案に関わるデスクライト装置の構成例を示す全体図である。
【図２】従来のデスクライト装置の構成例を示す全体図である。
【符号の説明】
【００２５】    １  ＡＣアダプタ
２  ＡＣアダプタ１のＤＣプラグ
３  台座
４  台座３に取付けられたＡＣアダプタ用ＤＣジャック
５  スイッチ
６  台座内部の直流電力供給兼用ＤＣジャック
７  ポール
８  ポール７の先端に取付けられた直流電力供給兼用ＤＣプラグ
９  ポール７の他の先端に取付けられた直流電力供給兼用ＤＣプラグ
１０  ヘッド
１１  ヘッド１０に取付けられた直流電力供給兼用ＤＣジャック
１２  配線基板
１３  発光ダイオード
１４  ポール７と同じ直径の穴
１５  給電線
１６  直流電力供給兼用ＤＣジャック６の取付け台
１７  ポールと台座の止め金具
１００  本考案のデスクライト装置
１０１  従来のデスクライト装置
【図１】
0003139225.tif 000003
【図２】
0003139225.tif 000004